(57)【要約】【課題】  固定部材と回動操作部材との間で回動軸線方向に形成される溝部を、挿入された異物が保持できなくなるほど大きくする簡易な構成によって、異物の挿入・固定行為を防ぎ、回動操作部材の円滑な回動操作を確保して、低コストで耐久性の向上を図ることのできる遊技機用発射ハンドルとそれを備えた遊技機を提供する。【解決手段】  回動レバー３０側の突出部３１０の端面３１０ａとグリップ本体１０の開口周壁部１１の端面１１ａとが対向配置され、外部から挿入されたコインＣ等の異物を保持することなく外部へ排除し、グリップ本体１０に対する回動レバー３０の固定状態を回避するために、広大隙間ＳＡ２（溝部）が前後方向において円筒状に形成されている。広大隙間ＳＡ２は、狭小隙間ＳＡ１の半径方向外側にて両端面３１０ａ，１１ａが離間して向き合うことによって、狭小隙間ＳＡ１よりも回動軸線Ｏ方向に広く大きい寸法に形成されている。【選択図】  図５
2010000132.tif 000002
【特許請求の範囲】
【請求項１】
一方側にて開口する椀形状に形成され、遊技機に固定される固定部材と、
自身の中心部から半径方向に延び、かつ遊技者により把持される把持面が外周面に形成された本体部を含み、回動軸線の周りに回動可能な状態にて前記固定部材に対向配置される回動操作部材と、を備える遊技機用発射ハンドルにおいて、
前記固定部材の開口周壁部を固定部材側の周辺部、前記回動操作部材の本体部を回動操作部材側の周辺部としたとき、それら回動操作部材と固定部材とのうち少なくとも一方の部材の周辺部の端面から、対向配置された他方の部材の周辺部の端面に向けて突出部が突出形成されることによって、その一方の部材の突出部の端面は他方の部材の周辺部の端面又は半径方向で対応する位置にて他方の部材の周辺部の端面から突出形成される突出部の端面と対向配置されるとともに、
それら両部材の周辺部の端面間であって前記一方の部材の突出部の半径方向外側には、外部から挿入されたコイン等の異物を保持することなく外部へ排除し、前記固定部材に対する前記回動操作部材の固定状態を回避するための溝部が周方向に形成されることを特徴とする遊技機用発射ハンドル。
【請求項２】
前記突出部の外周面が、外部から前記溝部へ挿入されたコイン等の異物の進入を阻止する一方、
前記溝部は、前記突出部の外周面で進入を阻止された異物を傾倒させ又は脱落させて外部へ排除する請求項１に記載の遊技機用発射ハンドル。
【請求項３】
前記突出部は、前記回動操作部材及び／又は固定部材の全周にわたり前記回動軸線に沿って形成されている請求項１又は２に記載の遊技機用発射ハンドル。
【請求項４】
請求項１ないし３のいずれか１項に記載の遊技機用発射ハンドルを備えたことを特徴とする遊技機。
【発明の詳細な説明】
【技術分野】
【０００１】
本発明は、遊技機用発射ハンドル及びそれを搭載した遊技機に関する。
【背景技術】
【０００２】
例えばパチンコ機（遊技機）の発射ハンドルは、一方側で開口する擬似半球形状等の椀形状に各々形成され、互いの開口を対向配置させてパチンコ機に固定することによって、遊技者が手のひらや手指で把持できる一対の固定部材を備えている。これら一対の固定部材は、前方側（遊技者側）のキャップと後方側（遊技機側）のグリップ本体とで構成され、さらに両者の間には、前後方向の回動軸線の周りに回動操作可能な回動レバー（回動操作部材）が配置されている。
【０００３】
このような発射ハンドルでは、回動レバーを円滑に回動操作できるように、回動レバーとキャップとの間及び回動レバーとグリップ本体との間には、それぞれ回動軸線方向に所定の寸法（幅寸法）を有する隙間が形成されている。ところが、このような隙間は、遊技者によってコイン、マッチ棒等の異物を挿入して回動レバーを固定する行為に利用されやすい。
【０００４】
そこで、パチンコ機のように遊技媒体（遊技球）の発射操作を行うための発射ハンドルを備える遊技機では、上記隙間にコイン、マッチ棒等の異物を挿入して回動レバーを固定するような行為を防止（阻止）することが要請され、解決策も種々提案されている。例えば、回動レバーの指掛用突起（指掛部）の裏側（後方側）に、上記したような行為を阻止するための障害物（固定阻止部材）を設けることが開示されている（特許文献１参照）。
【０００５】
【特許文献１】特開２００１−１７０２６７号公報
【０００６】
特許文献１によれば、上記した行為の防止に一定の成果を得ることができるが、回動レバー（指掛用突起）には障害物を設ける必要があるので高価になりやすく、またこれらの障害物が、異物を挿入し回動レバーを固定するための新たな手段として利用されるおそれもある。
【０００７】
ところで、上記した回動軸線方向の隙間は、キャップやグリップ本体との接触によって回動レバーの円滑な回動操作が妨げられないように大きくすると、遊技者によってコイン、マッチ棒等の異物を隙間に挿入して回動レバーを固定する行為に利用されやすい。このような異物の挿入によって、回動レバーがこじられて円滑に回動操作できなくなったり、固定部材が変形・損傷したり、軸方向隙間が広げられたり、金属部分の変形や剥がれが発生したりすると、回動レバーの回転角の検出不良、人体（遊技者の手）の接触有無（タッチセンシング）の検出不良等を招来し、遊技球の打ち出し不能や打ち出し強度の調整不良を発生しやすくなる。
【０００８】
そこで、異物を隙間に挿入して回動レバーを固定する行為を防ぐために、上記隙間を小さくしようとすると、回動レバーがキャップやグリップ本体と接触しやすくなり、また塵埃等が隙間に詰まりやすくなって上記したと同様の作動不良が発生しやすくなる。それを防ぐには、キャップ・グリップ本体・回動レバーすべての加工精度や組立精度を高めたり、塵埃等の除去孔や除去機構を設けたりする必要があるので、製造コストが高騰する。
【０００９】
このように、回動レバーの円滑な回動操作を確保するために隙間を大きくすれば、異物を隙間に挿入して回動レバーを固定する行為に利用される傾向が高くなって、発射ハンドルの作動不良が発生しやすくなる。一方、異物の挿入・固定行為を防止するために隙間を小さくすれば、回動レバーの円滑な回動操作を阻害したり、塵埃等の隙間への詰まりを生じたりする傾向が高くなって、やはり発射ハンドルの作動不良が発生しやすくなる。その結果、発射ハンドルの耐久性（寿命）が短縮され、発射ハンドルを頻繁に交換しなければならなくなるので、パチンコ機の全体的な製造コスト、ランニングコストや耐久性にも影響する。
【発明の開示】
【発明が解決しようとする課題】
【００１０】
本発明の課題は、固定部材と回動操作部材との間で回動軸線方向に形成される溝部を、挿入された異物が保持できなくなるほど大きくする簡易な構成によって、異物の挿入・固定行為を防ぎ、回動操作部材の円滑な回動操作を確保して、低コストで耐久性の向上を図ることのできる遊技機用発射ハンドルとそれを備えた遊技機を提供することにある。
【課題を解決するための手段及び発明の効果】
【００１１】
上記課題を解決するために、本発明の遊技機用発射ハンドルは、
一方側にて開口する椀形状に形成され、遊技機に固定される固定部材と、
自身の中心部から半径方向に延び、かつ遊技者により把持される把持面が外周面に形成された本体部を含み、回動軸線の周りに回動可能な状態にて前記固定部材に対向配置される回動操作部材と、を備える遊技機用発射ハンドルにおいて、
前記固定部材の開口周壁部を固定部材側の周辺部、前記回動操作部材の本体部を回動操作部材側の周辺部としたとき、それら回動操作部材と固定部材とのうち少なくとも一方の部材の周辺部の端面から、対向配置された他方の部材の周辺部の端面に向けて突出部が突出形成されることによって、その一方の部材の突出部の端面は他方の部材の周辺部の端面又は半径方向で対応する位置にて他方の部材の周辺部の端面から突出形成される突出部の端面と対向配置されるとともに、
それら両部材の周辺部の端面間であって前記一方の部材の突出部の半径方向外側には、外部から挿入されたコイン等の異物を保持することなく外部へ排除し、前記固定部材に対する前記回動操作部材の固定状態を回避するための溝部が周方向に形成されることを特徴とする。
【００１２】
上記遊技機用発射ハンドルでは、固定部材側の周辺部の端面と回動操作部材側の周辺部の端面との間であって突出部の半径方向外側において、外部から挿入されたコイン等の異物を保持することなく外部へ排除し、固定部材に対する回動操作部材の固定状態を回避するための溝部が周方向に形成される。このように、両部材の周辺部の端面間で突出部の半径方向外側にて回動軸線方向に形成される溝部を、挿入された異物が保持できなくなるほど大きく（例えば３ｍｍ以上）する簡易な構成によって、異物を溝部に挿入して回動操作部材を固定する行為に利用されにくくなるので、発射ハンドルの作動不良が発生しにくくなる。また、溝部を大きくすることによって、回動操作部材を円滑に回動操作でき、塵埃等が溝部へ詰まりにくくなるから、このことからも発射ハンドルの作動不良が発生しにくくなる。したがって、発射ハンドルの耐久性（寿命）が向上し、発射ハンドルを頻繁に交換しなくてもすむので、パチンコ機の全体的な製造コスト、ランニングコストが抑制され、耐久性が向上する。
【００１３】
なお、回動操作部材の回動軸線は、遊技者側を前方側、遊技機側を後方側とする前後方向に配置する以外に、上下方向（例えば鉛直方向）に配置したり、前後・上下と交差（例えば直交）する左右方向に配置したり、あるいはこれらの前後・上下・左右の中間方向（斜め方向）に配置したりする場合がある。また、遊技機用発射ハンドルを回動操作部材（例えば回動レバー）と一対の固定部材（例えばキャップとグリップ本体）とで構成する以外に、例えば、キャップを兼用する回動操作部材とグリップ本体とで構成する場合がある。
【００１４】
よって、例えば、前方側のキャップと後方側のグリップ本体とからなる一対の固定部材の間に、前後方向の回動軸線の周りに回動可能な回動操作部材（回動レバー）を配置して遊技機用発射ハンドルとすることができる。その際、一対の固定部材及び回動操作部材を配置する手法には、例えば、
（１）球体（擬似球体を含む）を、直径を含む平面で切断後に分離し、その間に回動操作部材を配置する手法；
（２）球体（擬似球体を含む）を、直径を含む平面から平行状に離間した２つの切断面で切断し、切断面間の中間体を除去した後に回動操作部材を配置する手法；
（３）回転楕円体（擬似回転楕円体を含む）を、長軸（主軸）を含む平面で切断後に分離し、その間に回動操作部材を配置する手法；
（４）回転楕円体（擬似回転楕円体を含む）を、長軸（主軸）を含む平面から平行状に離間した２つの切断面で切断し、切断面間の中間体を除去した後に回動操作部材を配置する手法；
等がある。もちろん、固定部材は、球体や回転楕円体以外の形状（例えば曲率を異ならせた複数の曲面からなる連結曲面体）であってもよい。
【００１５】
したがって、上記した遊技機用発射ハンドルは、具体的には、
一方側にて全面的に開口し他方側にて全体又は一部が閉じる椀形状に各々形成されるとともに、遊技者側を前方側とし遊技機側を後方側としたとき、互いの開口が対向し合掌状に向き合うように前後方向に配置されて、遊技機に固定される一対の固定部材と、
自身の中心部から半径方向に延び、かつ遊技者により把持される把持面が外周面に形成された本体部を含み、前記一対の固定部材の間において前後方向（かつ水平方向）の回動軸線の周りに回動可能に配置される回動操作部材と、を備える遊技機用発射ハンドルにおいて、
前記固定部材の開口周壁部を固定部材側の周辺部、前記回動操作部材の本体部を回動操作部材側の周辺部としたとき、それら回動操作部材と固定部材とのうち少なくとも一方の部材の周辺部の端面から、対向配置された他方の部材の周辺部の端面に向けて突出部が突出形成されることによって、その一方の部材の突出部の端面は他方の部材の周辺部の端面又は他方の部材の突出部の端面と対向配置されるとともに、
それら両部材の周辺部の端面間であって前記突出部の半径方向外側には、外部から挿入されたコイン等の異物を保持することなく外部へ排除し、前記固定部材に対する前記回動操作部材の固定状態を回避するための溝部が周方向に形成されていてもよい。
【００１６】
また、上記遊技機用発射ハンドルは、
一方側にて開口する椀形状に形成され、遊技機に固定される固定部材と、
自身の中心部から半径方向に延び、かつ遊技者により把持される把持面が外周面に形成された本体部を含み、回動軸線の周りに回動可能な状態にて前記固定部材に対向配置される回動操作部材と、を備える遊技機用発射ハンドルにおいて、
前記固定部材の開口周壁部を固定部材側の周辺部、前記回動操作部材の本体部を回動操作部材側の周辺部としたとき、それら回動操作部材と固定部材とのうち少なくとも一方の部材の周辺部の端面から、対向配置された他方の部材の周辺部の端面に向けて突出部が突出形成されることによって、その一方の部材の突出部の端面は他方の部材の周辺部の端面又は他方の部材の突出部の端面と対向配置され、
前記回動操作部材と固定部材とに関して互いに対向可能なそれら端面のうち、相対的に近接する形で向き合う端面間には、回動軸線方向に所定の寸法を有し、前記固定部材に対して前記回動操作部材を円滑に回動させるために必要な（環状の）第一隙間（狭小隙間）が周方向に形成されるとともに、
同じく前記端面のうち、前記第一隙間の半径方向外側にて相対的に離間する形で向き合う端面間には、回動軸線方向に前記第一隙間よりも大きな寸法を有し、外部から挿入されたコイン等の異物を保持することなく外部へ排除し、前記固定部材に対する前記回動操作部材の固定状態を回避するために必要な溝部を構成する（筒状の）第二隙間（広大隙間）が周方向に形成されることがある。
【００１７】
上記遊技機用発射ハンドルでは、近接した端面間には、固定部材に対して回動操作部材を円滑に回動させるために必要な第一隙間（狭小隙間）が周方向に形成され、離間した端面間には、第一隙間よりも大きく、外部から挿入された異物を保持することなく外部へ排除し、固定部材に対する回動操作部材の固定状態を回避するために必要な溝部を構成する第二隙間（広大隙間）が周方向に形成される。このように、回動軸線方向の隙間を、回動操作部材が円滑に回動するために相対的に狭く小さい（例えば０．５ｍｍ以下）第一隙間（狭小隙間）と、外部から挿入された異物が保持できなくなるほど相対的に広く大きい（例えば３ｍｍ以上）第二隙間（広大隙間）とに、機能分担させる形で簡易に構成し配置することができる。しかも、第二隙間は、第一隙間の半径方向外側に位置するので、異物を挿入して回動操作部材を固定する行為に利用されにくくなり、発射ハンドルの作動不良が発生しにくくなる。また、半径方向内側に位置する第一隙間を極限まで小さくしなくてよいので、回動操作部材を円滑に回動操作でき、塵埃等が隙間へ詰まりにくくなるから、このことからも発射ハンドルの作動不良が発生しにくくなる。したがって、発射ハンドルの耐久性（寿命）が向上し、発射ハンドルを頻繁に交換しなくてもすむので、パチンコ機の全体的な製造コスト、ランニングコストが抑制され、耐久性が向上する。
【００１８】
そこで、上記した遊技機用発射ハンドルは、具体的には、
一方側にて全面的に開口し他方側にて全体又は一部が閉じる椀形状に各々形成されるとともに、遊技者側を前方側とし遊技機側を後方側としたとき、互いの開口が対向し合掌状に向き合うように前後方向に配置されて、遊技機に固定される一対の固定部材と、
自身の中心部から半径方向に延び、かつ遊技者により把持される把持面が外周面に形成された本体部を含み、前記一対の固定部材の間において前後方向（かつ水平方向）の回動軸線の周りに回動可能に配置される回動操作部材と、を備える遊技機用発射ハンドルにおいて、
前記固定部材の開口周壁部を固定部材側の周辺部、前記回動操作部材の本体部を回動操作部材側の周辺部としたとき、それら回動操作部材と固定部材とのうち少なくとも一方の部材の周辺部の端面から、対向配置された他方の部材の周辺部の端面に向けて突出部が突出形成されることによって、その一方の部材の突出部の端面は他方の部材の周辺部の端面又は他方の部材の突出部の端面と対向配置され、
前記回動操作部材と固定部材とに関して互いに対向可能なそれら端面のうち、相対的に近接する形で向き合う端面間には、回動軸線方向に所定の寸法を有し、前記固定部材に対して前記回動操作部材を円滑に回動させるために必要な（環状の）第一隙間（狭小隙間）が周方向に形成されるとともに、
同じく前記端面のうち、前記第一隙間の半径方向外側にて相対的に離間する形で向き合う端面間には、回動軸線方向に前記第一隙間よりも大きな寸法を有し、外部から挿入されたコイン等の異物を保持することなく外部へ排除し、前記固定部材に対する前記回動操作部材の固定状態を回避するために必要な溝部を構成する（筒状の）第二隙間（広大隙間）が周方向に形成されていてもよい。
【００１９】
この場合、突出部の外周面が、外部から溝部（第二隙間）へ挿入されたコイン等の異物の進入を阻止する一方、
溝部は、突出部の外周面で進入を阻止された異物を傾倒させ又は脱落させて外部へ排除することができる。
【００２０】
このように、溝部（第二隙間）へ挿入された異物は突出部の外周面で進入を阻止され、溝部は広く形成されているため、異物を保持することなく（例えば前後方向へ）傾倒させたり、（例えば下方へ）脱落させたりして、外部へ排除する。このように、溝部の寸法を、異物となるコイン、マッチ棒等の幅（厚みや径）よりも大きくするだけの簡易な構成によって、従来よりもはるかに確実に異物の挿入・固定行為を防ぐことができるようになる。
【００２１】
そこで、回動操作部材と固定部材とのうちいずれか一方から突出部が突出形成される場合には、
一方側にて開口する椀形状に形成され、遊技機に固定される固定部材と、
自身の中心部から半径方向に延び、かつ遊技者により把持される把持面が外周面に形成された本体部を含み、回動軸線の周りに回動可能な状態にて前記固定部材に対向配置される回動操作部材と、を備える遊技機用発射ハンドルにおいて、
前記固定部材の開口周壁部を固定部材側の周辺部、前記回動操作部材の本体部を回動操作部材側の周辺部としたとき、それら回動操作部材と固定部材とのうちいずれか一方の部材の周辺部の端面から、対向配置された他方の部材の周辺部の端面に向けて突出部が突出形成され、
その一方の部材の突出部の端面と他方の部材の周辺部の端面とが対向配置され、相対的に近接する形で向き合うことによって回動軸線方向に所定の寸法を有し、前記固定部材に対して前記回動操作部材を円滑に回動させるために必要な（環状の）第一隙間（狭小隙間）が周方向に形成されるとともに、
それら両部材の周辺部の端面が対向配置され、前記第一隙間の半径方向外側にて相対的に離間する形で向き合うことによって回動軸線方向に前記第一隙間よりも大きな寸法を有し、外部から挿入されたコイン等の異物を保持することなく外部へ排除し、前記固定部材に対する前記回動操作部材の固定状態を回避するために必要な溝部を構成する（筒状の）第二隙間（広大隙間）が周方向に形成されていてもよい。
【００２２】
このように、回動操作部材と固定部材とのうちいずれか一方にのみ突出部を有する簡便な構成であっても、第一隙間（狭小隙間）と第二隙間（広大隙間）とを形成することができるので、上記同様に発射ハンドルの作動不良が発生しにくくなる。よって、発射ハンドルの耐久性（寿命）が向上し、発射ハンドルを頻繁に交換しなくてもすむようになる。
【００２３】
具体的には、第１のパターンとして、
前記固定部材の開口周壁部の端面から、前記回動操作部材の本体部の端面に向けて突出部が突出形成され、
前記固定部材の突出部の端面と前記回動操作部材の本体部の端面とが対向配置され、相対的に近接する形で向き合うことによって回動軸線方向に所定の寸法を有し、前記固定部材に対して前記回動操作部材を円滑に回動させるために必要な（環状の）第一隙間（狭小隙間）が周方向に形成されるとともに、
前記回動操作部材の本体部の端面と前記固定部材の開口周壁部の端面とが対向配置され、前記第一隙間の半径方向外側にて相対的に離間する形で向き合うことによって回動軸線方向に前記第一隙間よりも大きな寸法を有し、外部から挿入されたコイン等の異物を保持することなく外部へ排除し、前記固定部材に対する前記回動操作部材の固定状態を回避するために必要な（筒状の）第二隙間（広大隙間）が周方向に形成されていてもよい。
【００２４】
このように、固定部材の開口周壁部に突出部を突出形成するだけで、第一隙間（狭小隙間）と第二隙間（広大隙間）とを形成することができるので、上記同様に発射ハンドルの作動不良が発生しにくくなる。よって、発射ハンドルの耐久性（寿命）が向上し、発射ハンドルを頻繁に交換しなくてもすむようになる。
【００２５】
また、第２のパターンとして、
前記回動操作部材の本体部の端面から、前記固定部材の開口周壁部の端面に向けて突出部が突出形成され、
前記回動操作部材の突出部の端面と前記固定部材の開口周壁部の端面とが対向配置され、相対的に近接する形で向き合うことによって回動軸線方向に所定の寸法を有し、前記固定部材に対して前記回動操作部材を円滑に回動させるために必要な（環状の）第一隙間（狭小隙間）が周方向に形成されるとともに、
前記回動操作部材の本体部の端面と前記固定部材の開口周壁部の端面とが対向配置され、前記第一隙間の半径方向外側にて相対的に離間する形で向き合うことによって回動軸線方向に前記第一隙間よりも大きな寸法を有し、外部から挿入されたコイン等の異物を保持することなく外部へ排除し、前記固定部材に対する前記回動操作部材の固定状態を回避するために必要な（筒状の）第二隙間（広大隙間）が周方向に形成されていてもよい。
【００２６】
同じように、回動操作部材の本体部に突出部を突出形成するだけでも、第一隙間（狭小隙間）と第二隙間（広大隙間）とを形成することができるので、上記同様に発射ハンドルの作動不良が発生しにくくなる。よって、発射ハンドルの耐久性（寿命）が向上し、発射ハンドルを頻繁に交換しなくてもすむようになる。
【００２７】
これらのパターンでは、第二隙間（広大隙間）は、周方向において第一隙間（狭小隙間）を覆う形で、その第一隙間の半径方向外側に配置されている。
【００２８】
このように第一隙間と第二隙間とが連通状態で配置されていても、第一隙間は、第二隙間の半径方向内側において、回動操作部材と固定部材とのうち一方の部材の突出部端面を他方の部材の周辺部端面に近接配置することによって形成されている。したがって、回動操作部材の円滑な回動を維持しつつ第一隙間を可及的に小さくすることができるので、異物の進入を容易に阻止することができる。
【００２９】
次に、回動操作部材と固定部材とのいずれからも突出部が突出形成される場合には、
一方側にて開口する椀形状に形成され、遊技機に固定される固定部材と、
自身の中心部から半径方向に延び、かつ遊技者により把持される把持面が外周面に形成された本体部を含み、回動軸線の周りに回動可能な状態にて前記固定部材に対向配置される回動操作部材と、を備える遊技機用発射ハンドルにおいて、
前記固定部材の開口周壁部を固定部材側の周辺部、前記回動操作部材の本体部を回動操作部材側の周辺部としたとき、それら回動操作部材と固定部材とは、一方の部材の周辺部の端面から、対向配置された他方の部材の周辺部の端面に向けて突出部が各々突出形成されることによって、その一方の部材の突出部の端面は他方の部材の周辺部の端面又は他方の部材の突出部の端面と対向配置され、
前記回動操作部材と固定部材とに関して互いに対向可能なそれら端面のうち、相対的に近接する形で向き合う、一方の部材の突出部の端面と他方の部材の周辺部の端面との間、又は両部材の突出部の端面間には、回動軸線方向に所定の寸法を有し、前記固定部材に対して前記回動操作部材を円滑に回動させるために必要な（環状の）第一隙間（狭小隙間）が周方向に形成されるとともに、
同じく前記端面のうち、前記第一隙間の半径方向外側にて相対的に離間する形で向き合う、一方の部材の周辺部の端面と他方の部材の突出部の端面との間、又は両部材の周辺部の端面間には、回動軸線方向に前記第一隙間よりも大きな寸法を有し、外部から挿入されたコイン等の異物を保持することなく外部へ排除し、前記固定部材に対する前記回動操作部材の固定状態を回避するために必要な溝部を構成する（筒状の）第二隙間（広大隙間）が周方向に形成されていてもよい。
【００３０】
このように、回動操作部材と固定部材とがそれぞれ突出部を有することによって、第一隙間（狭小隙間）と第二隙間（広大隙間）とを形成することができるので、上記同様に発射ハンドルの作動不良が発生しにくくなる。よって、発射ハンドルの耐久性（寿命）が向上し、発射ハンドルを頻繁に交換しなくてもすむようになる。
【００３１】
具体的には、第１のパターンとして、
前記固定部材の開口周壁部の端面から、前記回動操作部材の本体部の端面に向けて第一の突出部が突出形成されるとともに、その第一の突出部よりも半径方向外側にて、前記回動操作部材の本体部の端面から、前記固定部材の開口周壁部の端面に向けて第二の突出部が突出形成され、
前記第一の突出部の端面と前記回動操作部材の本体部の端面とが対向配置され、相対的に近接する形で向き合うことによって回動軸線方向に所定の寸法を有し、前記固定部材に対して前記回動操作部材を円滑に回動させるために必要な（環状の）第一隙間（狭小隙間）が周方向に形成されるとともに、
前記第二の突出部の端面と前記固定部材の開口周壁部の端面とが対向配置され、前記第一隙間の半径方向外側にて相対的に離間する形で向き合うことによって回動軸線方向に前記第一隙間よりも大きな寸法を有し、外部から挿入されたコイン等の異物を保持することなく外部へ排除し、前記固定部材に対する前記回動操作部材の固定状態を回避するために必要な（筒状の）第二隙間（広大隙間）が周方向に形成されていてもよい。
【００３２】
このように、固定部材の開口周壁部に第一の突出部を突出形成し、回動操作部材の本体部に第二の突出部を突出形成し、第一の突出部の半径方向外側に第二の突出部を配置するだけで、第一隙間（狭小隙間）と第二隙間（広大隙間）とを形成することができるので、上記同様に発射ハンドルの作動不良が発生しにくくなる。よって、発射ハンドルの耐久性（寿命）が向上し、発射ハンドルを頻繁に交換しなくてもすむようになる。
【００３３】
また、第２のパターンとして、
前記回動操作部材の本体部の端面から、前記固定部材の開口周壁部の端面に向けて第一の突出部が突出形成されるとともに、その第一の突出部よりも半径方向外側にて、前記固定部材の開口周壁部の端面から、前記回動操作部材の本体部の端面に向けて第二の突出部が突出形成され、
前記第一の突出部の端面と前記固定部材の開口周壁部の端面とが対向配置され、相対的に近接する形で向き合うことによって回動軸線方向に所定の寸法を有し、前記固定部材に対して前記回動操作部材を円滑に回動させるために必要な（環状の）第一隙間（狭小隙間）が周方向に形成されるとともに、
前記第二の突出部の端面と前記回動操作部材の本体部の端面とが対向配置され、前記第一隙間の半径方向外側にて相対的に離間する形で向き合うことによって回動軸線方向に前記第一隙間よりも大きな寸法を有し、外部から挿入されたコイン等の異物を保持することなく外部へ排除し、前記固定部材に対する前記回動操作部材の固定状態を回避するために必要な（筒状の）第二隙間（広大隙間）が周方向に形成されていてもよい。
【００３４】
このように、回動操作部材の本体部に第一の突出部を突出形成し、固定部材の開口周壁部に第二の突出部を突出形成し、第一の突出部の半径方向外側に第二の突出部を配置するだけで、第一隙間（狭小隙間）と第二隙間（広大隙間）とを形成することができるので、上記同様に発射ハンドルの作動不良が発生しにくくなる。よって、発射ハンドルの耐久性（寿命）が向上し、発射ハンドルを頻繁に交換しなくてもすむようになる。
【００３５】
さらに、第３のパターンとして、
前記固定部材の開口周壁部の端面から、前記回動操作部材の本体部の端面に向けて第一の突出部が突出形成されるとともに、その第一の突出部と半径方向で対応する位置にて、前記回動操作部材の本体部の端面から、前記固定部材の開口周壁部の端面に向けて第二の突出部が突出形成され、
前記第一の突出部の端面と前記第二の突出部の端面とが対向配置され、相対的に近接する形で向き合うことによって回動軸線方向に所定の寸法を有し、前記固定部材に対して前記回動操作部材を円滑に回動させるために必要な（環状の）第一隙間（狭小隙間）が周方向に形成されるとともに、
前記固定部材の開口周壁部の端面と前記回動操作部材の本体部の端面とが対向配置され、前記第一隙間の半径方向外側にて相対的に離間する形で向き合うことによって回動軸線方向に前記第一隙間よりも大きな寸法を有し、外部から挿入されたコイン等の異物を保持することなく外部へ排除し、前記固定部材に対する前記回動操作部材の固定状態を回避するために必要な（筒状の）第二隙間（広大隙間）が周方向に形成されていてもよい。
【００３６】
このように、固定部材の開口周壁部に第一の突出部を突出形成し、回動操作部材の本体部に第二の突出部を突出形成し、両突出部を突合せ配置するだけで、第一隙間（狭小隙間）と第二隙間（広大隙間）とを形成することができるので、上記同様に発射ハンドルの作動不良が発生しにくくなる。よって、発射ハンドルの耐久性（寿命）が向上し、発射ハンドルを頻繁に交換しなくてもすむようになる。
【００３７】
これらのパターンでは、第二隙間（広大隙間）を、回動軸線方向において第一隙間（狭小隙間）とオフセットする形で、その第一隙間の半径方向外側に配置することができる。
【００３８】
第一隙間と第二隙間とが回動軸線方向にオフセット（齟齬；食い違い）して配置されることによって、半径方向外側に位置する第二隙間と内側に位置する第一隙間とは迷路状に形成されることになる。したがって、第一隙間が第二隙間を介して外部と連通されていても、第一隙間に異物を挿入してこじることは極めて困難となる。
【００３９】
以上に述べた発射ハンドルにおいて、突出部は、回動操作部材及び／又は固定部材の全周にわたり回動軸線に沿って形成されていることが望ましく、これによって異物の挿入を一層防止しやすくなる。
【００４０】
そこで、上記課題を解決するために、本発明の遊技機は、
以上のような遊技機用発射ハンドルを備えたことを特徴とする。
【００４１】
このように、両部材の周辺部の端面間で突出部の半径方向外側にて回動軸線方向に形成される溝部（例えば第二隙間）を、挿入された異物が保持できなくなるほど大きく（例えば３ｍｍ以上）する簡易な構成によって、異物を溝部に挿入して回動操作部材を固定する行為に利用されにくくなるので、発射ハンドルの作動不良が発生しにくくなる。また、溝部を大きくすることによって、回動操作部材を円滑に回動操作でき、塵埃等が溝部へ詰まりにくくなるから、このことからも発射ハンドルの作動不良が発生しにくくなる。したがって、発射ハンドルの耐久性（寿命）が向上し、発射ハンドルを頻繁に交換しなくてもすむので、パチンコ機の全体的な製造コスト、ランニングコストが抑制され、耐久性が向上する。
【発明を実施するための最良の形態】
【００４２】
（実施例１）
以下、本発明の実施の形態を図面を参照しつつ説明する。図１は本発明に係る遊技機用発射ハンドル（以下、単に発射ハンドルともいう）を備えたパチンコ機を例示する正面図である。図１に示すように、パチンコ機１（遊技機）の遊技盤２の盤面（前面）には、ほぼ左半周が内外２本の発射レール２ｂによって区画され、全体として円形の遊技領域２ａが形成されている。遊技領域２ａの中央には液晶表示部３が搭載され、液晶表示部３の下方（遊技領域２ａの中央下部）に大入賞装置４（入賞装置）が配置されている。また、液晶表示部３と大入賞装置４との間には、電動チューリップ（電チュー）にて構成される始動入賞装置５が配置されている。また、パチンコ機１の右側下部には、電動モータ等の駆動手段（図示せず）により打球槌（発射装置；図示せず）を作動させて遊技球を発射するために、遊技者によって操作される発射ハンドル６が取り付けられている。
【００４３】
本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者側（手前側）が前方側であり、その反対側である遊技機１側（奥側）が後方側となる。
【００４４】
図２は本発明に係る発射ハンドルの一例を示す正面図及び底面図、図３はその発射ハンドルを分解して示す斜視図、図４はそのＡ−Ａ断面図、図５はさらにＸ部の拡大断面図である。図２及び図３に示すように、グリップ本体１０（固定部材）とキャップ２０（固定部材）とがパチンコ機１に固定され、グリップ本体１０とキャップ２０との間に回動レバー３０（回動操作部材）が配置されて、これらは発射ハンドル６の主要部を構成している。
【００４５】
グリップ本体１０は、一方側にて全面的に円形状に開口し他方側にて一部が閉じる椀形状に形成され、その取付部１３が遊技機１（図１参照）に固定されている。キャップ２０は、一方側にて全面的に円形状に開口し他方側にて全体が閉じる椀形状に形成され、複数（例えば３本）の取付ビスＢ（締結部材）によってグリップ本体１０に固定されている。具体的には、グリップ本体１０を後方側、キャップ２０を前方側として、互いの開口が対向し合掌状に向き合うように配置されている。
【００４６】
回動レバー３０は、前後方向（例えば水平方向）の回動軸線Ｏの周りに回動可能に配置され、中央側に位置するボス部３６から半径方向に延び、遊技者により把持される把持面３２が外周面に形成された本体部３１を有する。本体部３１の把持面３２（外周面）から半径方向外側に向けて複数（例えば３個）の指掛部３３が角状に突出形成され、これらの指掛部３３は回動軸線Ｏ方向における本体部３１（把持面３２）の全幅内に配置されている（図２（ｂ），図４参照）。また、回動レバー３０を回動基準位置（遊技の待機状態）に引き戻すために、回動レバー３０とキャップ２０との間にねじりコイルばね３４（付勢手段）が掛け渡されている。さらに、回動レバー３０の回転角を検出して遊技球の打ち出し強度を調整するために、可変抵抗器３５（回転角度検出器）の回転軸３５ａが、その中心を回動軸線Ｏに一致させる形で、回動レバー３０に固定されている。
【００４７】
なお、キャップ２０の内側に固定される内部キャップ２３（固定部材）は、回動レバー３０、ねじりコイルばね３４等を保持する（図４参照）ためのものである。また、遊技者の手が接触しているか否かを検出するために、グリップ本体１０や回動レバー３０の外周面の一部にめっきを施す場合がある。
【００４８】
図４及び図５に示すように、グリップ本体１０の開口周壁部１１の端面１１ａから、回動レバー３０の本体部３１の後方側の端面３１ａに向けて、グリップ本体１０側の突出部１１０（第一の突出部）が全周にわたり回動軸線Ｏに沿って突出形成されている。また、その突出部１１０よりも半径方向外側にて、回動レバー３０の本体部３１の後方側の端面３１ａから、グリップ本体１０の開口周壁部１１の端面１１ａに向けて、回動レバー３０側の突出部３１０（第二の突出部）が全周にわたり回動軸線Ｏに沿って突出形成されている。
【００４９】
グリップ本体１０側の突出部１１０の端面１１０ａと回動レバー３０の本体部３１の後方側の端面３１ａとが対向配置され、グリップ本体１０に対して回動レバー３０を円滑に回動させるために、狭小隙間ＳＡ１（第一隙間）が前後方向において円環状に形成されている。狭小隙間ＳＡ１は、両端面１１０ａ，３１ａが近接して向き合うことによって、回動軸線Ｏ方向に狭く小さい寸法（例えば０．５ｍｍ）に形成されている。
【００５０】
また、回動レバー３０側の突出部３１０の端面３１０ａとグリップ本体１０の開口周壁部１１の端面１１ａとが対向配置され、外部から挿入されたコインＣ等の異物を保持することなく外部へ排除し、グリップ本体１０に対する回動レバー３０の固定状態を回避するために、広大隙間ＳＡ２（第二隙間；溝部）が前後方向において円筒状に形成されている。広大隙間ＳＡ２は、狭小隙間ＳＡ１の半径方向外側にて両端面３１０ａ，１１ａが離間して向き合うことによって、狭小隙間ＳＡ１よりも回動軸線Ｏ方向に広く大きい寸法（例えば３．０ｍｍ）に形成されている。ただし、広大隙間ＳＡ２を構成する端面３１０ａ，１１ａには、デザイン性の向上等のために溝３１０ａ’，１１ａ’等の微細な凹凸を設ける場合があるが、原則としてこれらは広大隙間ＳＡ２の寸法には含めない。なお、これらの溝３１０ａ’，１１ａ’に色彩を施してさらに意匠性を高めてもよい。
【００５１】
さらに、グリップ本体１０に対して回動レバー３０を回動可能とするために、半径方向外側の突出部３１０の内周面３１０ｂと半径方向内側の突出部１１０の外周面１１０ｂとの間には、半径方向に所定の寸法（例えば０．５ｍｍ）を有する半径方向隙間ＳＲが前後方向において円筒状に形成されている。半径方向隙間ＳＲは、半径方向外側の突出部３１０の全幅及び全周にわたって、回動軸線Ｏと平行状で半径方向の寸法が一定となるように形成されている。したがって、狭小隙間ＳＡ１と広大隙間ＳＡ２とは、半径方向隙間ＳＲを挟んで回動軸線Ｏ方向にオフセット（齟齬；食い違い）して配置され、これらの隙間ＳＡ１，ＳＲ，ＳＡ２は断面視クランク状（迷路状）を呈することになる。
【００５２】
このようなパチンコ機１において遊技を開始するには、遊技者は発射ハンドル６のキャップ２０を手のひらで包むように保持しつつ、回動レバー３０の本体部３１（把持面３２）を把持し、指掛部３３に指をかけて回動レバー３０を回動操作する。このとき、可変抵抗器３５で検出された回動レバー３０の回転角に応じて打ち出し強度が調整され、打球槌（図示せず）が作動して遊技球がパチンコ機１の遊技領域２ａに向けて発射される（打ち出される）。
【００５３】
図５の拡大図に示すように、遊技者によっては、回動レバー３０の本体部３１（把持面３２）を把持せず、半径方向外側の突出部３１０の端面３１０ａとグリップ本体１０の開口周壁部１１の端面１１ａとの間に形成された広大隙間ＳＡ２にコインＣ等の異物を上方から挿入して回動レバー３０を固定した状態で、遊技球を発射させる行為を試みようとする場合がある。ところが、広大隙間ＳＡ２へ挿入されたコインＣ等の異物は、半径方向内側の突出部１１０の外周面１１０ｂで進入を阻止され、広く形成された広大隙間ＳＡ２内では姿勢が不安定となり、矢印で示す前後方向へ傾倒して外部へ排除される。また、狭小隙間ＳＡ１は半径方向隙間ＳＲと広大隙間ＳＡ２とを介して外部と連通されているが、狭小隙間ＳＡ１にコインＣ等の異物を挿入してこじることは極めて困難となる。
【００５４】
一方、図４及び図５に示すように、キャップ２０及びそれと一体化された内部キャップ２３の開口周壁部２１の端面２１ａから、回動レバー３０の本体部３１の前方側の端面３１ａに向けて、突出部２３０が全周にわたり回動軸線Ｏに沿って突出形成されている。
【００５５】
キャップ２０の突出部２３０の端面２３０ａと回動レバー３０の本体部３１の前方側の端面３１ａとが対向配置され、キャップ２０に対して回動レバー３０を円滑に回動させるために、狭小隙間ＳＡ１（第一隙間）が前後方向において円環状に形成されている。狭小隙間ＳＡ１は、両端面２３０ａ，３１ａが近接して向き合うことによって、回動軸線Ｏ方向に狭く小さい寸法（例えば０．５ｍｍ）に形成されている。
【００５６】
また、回動レバー３０の本体部３１の前方側の端面３１ａとキャップ２０の開口周壁部２１の端面２１ａとが対向配置され、外部から挿入されたコインＣ等の異物を保持することなく外部へ排除し、キャップ２０に対する回動レバー３０の固定状態を回避するために、広大隙間ＳＡ２（第二隙間；溝部）が前後方向において円筒状に形成されている。広大隙間ＳＡ２は、狭小隙間ＳＡ１の半径方向外側にて両端面３１ａ，２１ａが離間して向き合うことによって、狭小隙間ＳＡ１よりも回動軸線Ｏ方向に広く大きい寸法（例えば３．０ｍｍ）に形成されている。なお、半径方向隙間は存在せず（広大隙間ＳＡ２に吸収されていると捉えることもできる）、広大隙間ＳＡ２は全周にわたって狭小隙間ＳＡ１を半径方向外側から覆っている。
【００５７】
図５の拡大図に示すように、このような発射ハンドル６においても、遊技者によっては、回動レバー３０の本体部３１（把持面３２）を把持せず、回動レバー３０の本体部３１の前方側の端面３１ａとキャップ２０の開口周壁部２１の端面２１ａとの間に形成された広大隙間ＳＡ２にコインＣ等の異物を上方から挿入して回動レバー３０を固定した状態で、遊技球を発射させる行為を試みようとする場合がある。ところが、広大隙間ＳＡ２へ挿入されたコインＣ等の異物は、キャップ２０の突出部２３０の外周面２３０ｂで進入を阻止され、広く形成された広大隙間ＳＡ２内では姿勢が不安定となり、矢印で示す前後方向へ傾倒して外部へ排除される。また、狭小隙間ＳＡ１は、広大隙間ＳＡ２を介して外部と連通されているが、その寸法を小さくすることができるので、狭小隙間ＳＡ１にコインＣ等の異物を挿入してこじることは困難となる。
【００５８】
このように、回動軸線Ｏ方向の隙間を、回動レバー３０が円滑に回動するために相対的に狭く小さい（例えば０．５ｍｍ以下）狭小隙間ＳＡ１と、外部から挿入されたコインＣ等の異物が保持できなくなるほど相対的に広く大きい（例えば３ｍｍ以上）広大隙間ＳＡ２とに、機能分担させる形で簡易に構成し配置することができる。しかも、広大隙間ＳＡ２は、狭小隙間ＳＡ１の半径方向外側に位置するので、コインＣ等の異物を挿入して回動レバー３０を固定する行為に利用されにくくなり、発射ハンドル６の作動不良が発生しにくくなる。また、半径方向内側に位置する狭小隙間ＳＡ１を極限まで小さくしなくてよいので、回動レバー３０を円滑に回動操作でき、塵埃等が狭小隙間ＳＡ１へ詰まりにくくなるから、このことからも発射ハンドル６の作動不良が発生しにくくなる。したがって、発射ハンドル６の耐久性（寿命）が向上し、発射ハンドル６を頻繁に交換しなくてもすむので、パチンコ機１の全体的な製造コスト、ランニングコストが抑制され、耐久性が向上する。
【００５９】
（変形例１）
図６は発射ハンドルの変形例を示す断面図、図７はそのＸ’部の拡大断面図である。図６及び図７に示す発射ハンドル６（遊技機用発射ハンドル）は、回動レバー３０が上下方向（例えば鉛直方向）の回動軸線Ｏの周りに回動可能に配置される以外には、実施例１（図４，図５参照）と同様の構成を有している。したがって、図５においては、狭小隙間ＳＡ１（第一隙間）は上下方向において円環状に形成され、広大隙間ＳＡ２（第二隙間；溝部）及び半径方向隙間ＳＲは上下方向においてそれぞれ円筒状に形成されている。
【００６０】
そして、例えば回動レバー３０（回動操作部材）の本体部３１の前方側の端面３１ａとキャップ２０（固定部材）の開口周壁部２１の端面２１ａとの間に形成された広大隙間ＳＡ２にコインＣ等の異物を横方向から挿入して回動レバー３０を固定した状態で、遊技球を発射させる行為を試みようとする場合がある。ところが、広大隙間ＳＡ２へ挿入されたコインＣ等の異物は、キャップ２０の突出部２３０の外周面２３０ｂで進入を阻止され、広く形成された広大隙間ＳＡ２内では姿勢が不安定となり、自重により矢印で示す下方へ脱落して外部へ排除される。
【００６１】
（変形例２）
図８は発射ハンドルの他の変形例を示す拡大断面図である。図８に示す発射ハンドル６（遊技機用発射ハンドル）では、内部キャップ２３（固定部材）はキャップ２０（固定部材）と一体成形されている。したがって、キャップ２０の開口周壁部２１の端面２１ａから、回動レバー３０の本体部３１の前方側の端面３１ａに向けて、突出部２１０が全周にわたり回動軸線Ｏに沿って突出形成されている。
【００６２】
キャップ２０の突出部２１０の端面２１０ａと回動レバー３０の本体部３１の前方側の端面３１ａとが対向配置され、キャップ２０に対して回動レバー３０を円滑に回動させるために、狭小隙間ＳＡ１（第一隙間）が前後方向において円環状に形成されている。狭小隙間ＳＡ１は、両端面２１０ａ，３１ａが近接して向き合うことによって、回動軸線Ｏ方向に狭く小さい寸法（例えば０．５ｍｍ）に形成されている。
【００６３】
（実施例２）
図９は発射ハンドルの他の例を示す拡大断面図である。図９に示す発射ハンドル６（遊技機用発射操作装置）では、回動レバー３０（回動操作部材）の本体部３１の後方側の端面３１ａから、グリップ本体１０（固定部材）の開口周壁部１１の端面１１ａに向けて、回動レバー３０側の突出部３１０（第一の突出部）が全周にわたり回動軸線Ｏに沿って突出形成されている。また、その突出部３１０よりも半径方向外側にて、グリップ本体１０の開口周壁部１１の端面１１ａから、回動レバー３０の本体部３１の後方側の端面３１ａに向けて、グリップ本体１０側の突出部１１０（第二の突出部）が全周にわたり回動軸線Ｏに沿って突出形成されている。
【００６４】
回動レバー３０側の突出部３１０の端面３１０ａとグリップ本体１０の開口周壁部１１の端面１１ａとが対向配置され、グリップ本体１０に対して回動レバー３０を円滑に回動させるために、狭小隙間ＳＡ１（第一隙間）が前後方向において円環状に形成されている。狭小隙間ＳＡ１は、両端面３１０ａ，１１ａが近接して向き合うことによって、回動軸線Ｏ方向に狭く小さい寸法（例えば０．５ｍｍ）に形成されている。
【００６５】
また、グリップ本体１０側の突出部１１０の端面１１０ａと回動レバー３０の本体部３１の後方側の端面３１ａとが対向配置され、外部から挿入されたコインＣ等の異物を保持することなく外部へ排除し、グリップ本体１０に対する回動レバー３０の固定状態を回避するために、広大隙間ＳＡ２（第二隙間；溝部）が前後方向において円筒状に形成されている。広大隙間ＳＡ２は、狭小隙間ＳＡ１の半径方向外側にて両端面１１０ａ，３１ａが離間して向き合うことによって、狭小隙間ＳＡ１よりも回動軸線Ｏ方向に広く大きい寸法（例えば３．０ｍｍ）に形成されている。広大隙間ＳＡ２へ挿入されたコインＣ等の異物は、回動レバー３０側の突出部３１０の外周面３１０ｃで進入を阻止され、広く形成された広大隙間ＳＡ２内では姿勢が不安定となり、矢印で示す前後方向へ傾倒して外部へ排除される。
【００６６】
一方、回動レバー３０の本体部３１の前方側の端面３１ａから、キャップ２０（固定部材）の開口周壁部２１の端面２１ａに向けて、回動レバー３０側の突出部３１０（第一の突出部）が全周にわたり回動軸線Ｏに沿って突出形成されている。また、その突出部３１０よりも半径方向外側にて、キャップ２０の開口周壁部２１の端面２１ａから、回動レバー３０の本体部３１の前方側の端面３１ａに向けて、キャップ２０側の突出部２１０（第二の突出部）が全周にわたり回動軸線Ｏに沿って突出形成されている。
【００６７】
回動レバー３０側の突出部３１０の端面３１０ａとキャップ２０の開口周壁部２１の端面２１ａとが対向配置され、キャップ２０に対して回動レバー３０を円滑に回動させるために、狭小隙間ＳＡ１（第一隙間）が前後方向において円環状に形成されている。狭小隙間ＳＡ１は、両端面３１０ａ，２１ａが近接して向き合うことによって、回動軸線Ｏ方向に狭く小さい寸法（例えば０．５ｍｍ）に形成されている。
【００６８】
また、キャップ２０側の突出部２１０の端面２１０ａと回動レバー３０の本体部３１の前方側の端面３１ａとが対向配置され、外部から挿入されたコインＣ等の異物を保持することなく外部へ排除し、キャップ２０に対する回動レバー３０の固定状態を回避するために、広大隙間ＳＡ２（第二隙間；溝部）が前後方向において円筒状に形成されている。広大隙間ＳＡ２は、狭小隙間ＳＡ１の半径方向外側にて両端面２１０ａ，３１ａが離間して向き合うことによって、狭小隙間ＳＡ１よりも回動軸線Ｏ方向に広く大きい寸法（例えば３．０ｍｍ）に形成されている。広大隙間ＳＡ２へ挿入されたコインＣ等の異物は、回動レバー３０側の突出部３１０の外周面３１０ｃで進入を阻止され、広く形成された広大隙間ＳＡ２内では姿勢が不安定となり、矢印で示す前後方向へ傾倒して外部へ排除される。
【００６９】
（実施例３）
図１０は発射ハンドルのさらに他の例を示す拡大断面図である。図１０に示す発射ハンドル６（遊技機用発射ハンドル）では、回動レバー３０（回動操作部材）の本体部３１の後方側の端面３１ａから、グリップ本体１０（固定部材）の開口周壁部１１の端面１１ａに向けて、突出部３１０が全周にわたり回動軸線Ｏに沿って突出形成されている。
【００７０】
回動レバー３０の突出部３１０の端面３１０ａと、グリップ本体１０の開口周壁部１１の端面１１ａとが対向配置され、グリップ本体１０に対して回動レバー３０を円滑に回動させるために、狭小隙間ＳＡ１（第一隙間）が前後方向において円環状に形成されている。狭小隙間ＳＡ１は、両端面３１０ａ，１１ａが近接して向き合うことによって、回動軸線Ｏ方向に狭く小さい寸法（例えば０．５ｍｍ）に形成されている。
【００７１】
また、回動レバー３０の本体部３１の前方側の端面３１ａとグリップ本体１０の開口周壁部１１の端面１１ａとが対向配置され、外部から挿入されたコインＣ等の異物を保持することなく外部へ排除し、グリップ本体１０に対する回動レバー３０の固定状態を回避するために、広大隙間ＳＡ２（第二隙間；溝部）が前後方向において円筒状に形成されている。広大隙間ＳＡ２は、狭小隙間ＳＡ１の半径方向外側にて両端面３１ａ，１１ａが離間して向き合うことによって、狭小隙間ＳＡ１よりも回動軸線Ｏ方向に広く大きい寸法（例えば３．０ｍｍ）に形成されている。なお、半径方向隙間は存在せず（広大隙間ＳＡ２に吸収されていると捉えることもできる）、広大隙間ＳＡ２は全周にわたって狭小隙間ＳＡ１を半径方向外側から覆っている。広大隙間ＳＡ２へ挿入されたコインＣ等の異物は、回動レバー３０の突出部３１０の外周面３１０ｃで進入を阻止され、広く形成された広大隙間ＳＡ２内では姿勢が不安定となり、矢印で示す前後方向へ傾倒して外部へ排除される。
【００７２】
一方、キャップ２０（固定部材）の開口周壁部２１の端面２１ａから、回動レバー３０の本体部３１の前方側の端面３１ａに向けて、キャップ２０側の突出部２１０（第一の突出部）が全周にわたり回動軸線Ｏに沿って突出形成されている。また、そのキャップ２０側の突出部２１０と半径方向で対応する位置にて、回動レバー３０の本体部３１の前方側の端面３１ａから、キャップ２０の開口周壁部２１の端面２１ａに向けて、回動レバー３０側の突出部３１０（第二の突出部）が全周にわたり回動軸線Ｏに沿って突出形成されている。
【００７３】
キャップ２０側の突出部２１０の端面２１０ａと回動レバー３０側の突出部３１０の端面３１０ａとが対向配置され、キャップ２０に対して回動レバー３０を円滑に回動させるために、狭小隙間ＳＡ１（第一隙間）が前後方向において円環状に形成されている。狭小隙間ＳＡ１は、両端面２１０ａ，３１０ａが近接して向き合うことによって、回動軸線Ｏ方向に狭く小さい寸法（例えば０．５ｍｍ）に形成されている。
【００７４】
また、キャップ２０の開口周壁部２１の端面２１ａと回動レバー３０の本体部３１の前方側の端面３１ａとが対向配置され、外部から挿入されたコインＣ等の異物を保持することなく外部へ排除し、キャップ２０に対する回動レバー３０の固定状態を回避するために、広大隙間ＳＡ２（第二隙間；溝部）が前後方向において円筒状に形成されている。広大隙間ＳＡ２は、狭小隙間ＳＡ１の半径方向外側にて両端面２１ａ，３１ａが離間して向き合うことによって、狭小隙間ＳＡ１よりも回動軸線Ｏ方向に広く大きい寸法（例えば３．０ｍｍ）に形成されている。なお、半径方向隙間は存在せず（広大隙間ＳＡ２に吸収されていると捉えることもできる）、広大隙間ＳＡ２は全周にわたって狭小隙間ＳＡ１を半径方向外側から覆っている。また、広大隙間ＳＡ２へ挿入されたコインＣ等の異物は、キャップ２０側の突出部２１０の外周面２１０ｂと回動レバー３０側の突出部３１０の外周面３１０ｃとで進入を阻止され、広く形成された広大隙間ＳＡ２内では姿勢が不安定となり、矢印で示す前後方向へ傾倒して外部へ排除される。
【００７５】
（実施例４）
図１１は発射ハンドルのさらに他の例を示す拡大断面図である。図１１に示す発射ハンドル６（遊技機用発射ハンドル）において、回動レバー３０（回動操作部材）とグリップ本体１０（固定部材）との間に形成される狭小隙間ＳＡ１（第一隙間）、広大隙間ＳＡ２（第二隙間；溝部）及び半径方向隙間ＳＲは、実施例１（図５）と同様であるから、詳細説明を省略する。一方、回動レバー３０とキャップ２０（固定部材）との間に形成される狭小隙間ＳＡ１（第一隙間）、広大隙間ＳＡ２（第二隙間；溝部）及び半径方向隙間ＳＲは、回動レバー３０とグリップ本体１０との間に形成される上記隙間と同様であるから、詳細説明を省略する。
【００７６】
なお、変形例１（図６，図７）、変形例２（図８）、実施例２（図９）、実施例３（図１０）及び実施例４（図１１）において、実施例１（図２〜図５）と共通する機能を有する部分にはそれぞれ同一符号を付して説明を省略する。
【００７７】
ところで、以上のような実施例や変形例に示す発射ハンドル６において、回動レバー３０の指掛部３３とグリップ本体１０の開口周壁部１１との間、及び回動レバー３０の指掛部３３とキャップ２０の開口周壁部２１との間にも、上記と同様の広大隙間ＳＡ２（第二隙間；溝部）を設けてもよい（例えば図４参照）。
【図面の簡単な説明】
【００７８】
【図１】本発明に係る発射ハンドルを備えたパチンコ機を例示する正面図。
【図２】本発明に係る発射ハンドルの一例を示す正面図及び底面図。
【図３】図２の発射ハンドルを分解して示す斜視図。
【図４】図２のＡ−Ａ断面図。
【図５】図４のＸ部拡大断面図。
【図６】発射ハンドルの変形例を示す断面図。
【図７】図６のＸ’部拡大断面図。
【図８】発射ハンドルの他の変形例を示す拡大断面図。
【図９】発射ハンドルの他の例を示す拡大断面図。
【図１０】発射ハンドルのさらに他の例を示す拡大断面図。
【図１１】発射ハンドルのさらに他の例を示す拡大断面図。
【符号の説明】
【００７９】
１        パチンコ機（遊技機）
６        発射ハンドル（遊技機用発射ハンドル）
１０      グリップ本体（固定部材）
１１      開口周壁部（周辺部）
１１ａ    端面
１１０    突出部
１１０ａ  端面
１１０ｂ  外周面
１３      取付部
２０      キャップ（固定部材）
２１      開口周壁部（周辺部）
２１ａ    端面
２１０    突出部
２１０ａ  端面
２１０ｂ  外周面
２３      内部キャップ（固定部材）
２３０    突出部
２３０ａ  端面
２３０ｂ  外周面
３０      回動レバー（回動操作部材）
３１      本体部（周辺部）
３１ａ    端面
３１０    突出部
３１０ａ  端面
３１０ｂ  内周面
３１０ｃ  外周面
３２      把持面（外周面）
３３      指掛部
３４      ねじりコイルばね（付勢手段）
３５      可変抵抗器（回転角度検出器）
３５ａ    回転軸
３６      ボス部
Ｂ        取付ビス（締結部材）
Ｃ        コイン（異物）
ＳＡ１    狭小隙間（第一隙間）
ＳＡ２    広大隙間（第二隙間；溝部）
ＳＲ      半径方向隙間
Ｏ        回動軸線
【図１】
2010000132.tif 000003
【図２】
2010000132.tif 000004
【図３】
2010000132.tif 000005
【図４】
2010000132.tif 000006
【図５】
2010000132.tif 000007
【図６】
2010000132.tif 000008
【図７】
2010000132.tif 000009
【図８】
2010000132.tif 000010
【図９】
2010000132.tif 000011
【図１０】
2010000132.tif 000012
【図１１】
2010000132.tif 000013